(57)【特許請求の範囲】
【請求項１】
流体との熱交換に用いる構造物であって、
前記構造物を形成する部材は、第１蓄熱材と、第２蓄熱材と、樹脂とからなり、
前記第１蓄熱材は、カプセル内に第１蓄熱物質が封入されてなり、かつ、前記部材の内部に存在しており、
前記第２蓄熱材は、カプセル内に第２蓄熱物質が封入されてなり、かつ、前記部材の内部に存在しており、
前記第１蓄熱物質の相転移温度と、前記第２蓄熱物質の相転移温度とは異なっており、
前記第１蓄熱材の平均粒子径及び第２蓄熱材の平均粒子径は１０〜６０００μｍであり、かつ前記第１蓄熱材と第２蓄熱材の平均粒子径が相対的に異なっていることを特徴とする構造物。
【請求項２】
前記第１蓄熱物質の相転移温度と前記第２蓄熱物質の相転移温度との温度差は、５℃以上である請求項１に記載の構造物。
【請求項３】
前記構造物は、流体が流入する流入口と、前記流入口から流入した流体が通過する流路と、前記流路を通過した流体が流出する流出口とを有する請求項１又は２に記載の構造物。
【請求項４】
前記構造物の前記流入口側又は前記流出口側はファンが設置されている請求項３に記載の構造物。
【請求項５】
前記構造物は、複数の前記流路を有する請求項３又は４に記載の構造物。
【請求項６】
前記構造物の形状は、複数の前記流路が隔壁を隔てて長手方向に並設されたハニカム形状である請求項５に記載の構造物。
【請求項７】
前記隔壁の厚さは、５０〜５０００μｍである請求項６に記載の構造物。
【請求項８】
前記流路の密度は、前記構造物の長手方向に垂直な断面において、１０〜１０００個／平方インチである請求項６又は７に記載の構造物。
【請求項９】
前記第１蓄熱材及び前記第２蓄熱材の合計含有量は、前記構造物の体積に対し５〜８５％である請求項１〜８のいずれかに記載の構造物。
【請求項１０】
前記第１蓄熱材及び／又は前記第２蓄熱材の一部が、前記部材の表面に露出している請求項１〜９のいずれかに記載の構造物。
【請求項１１】
前記樹脂は、熱硬化性樹脂、熱可塑性樹脂及び紫外線硬化樹脂からなる群から選ばれる少なくとも１種である請求項１〜１０のいずれかに記載の構造物。
【請求項１２】
前記樹脂は、前記樹脂の熱伝導率よりも高い熱伝導率を有する樹脂用フィラーを含む請求項１〜１１のいずれかに記載の構造物。
【請求項１３】
請求項１〜１２のいずれかに記載の構造物の製造方法であって、
カプセル内に第１蓄熱物質が封入され、平均粒子径が１０〜６０００μｍである第１蓄熱材と、カプセル内に第２蓄熱物質が封入され、平均粒子径が１０〜６０００μｍであって、前記第１蓄熱材と平均粒子径が相対的に異なる第２蓄熱材と、樹脂とを混合して混合物を調製する混合工程と、
前記混合物を成形して、前記第１蓄熱材と、前記第２蓄熱材と、前記樹脂とからなる部材
により形成される構造物とする成形工程とを含み、
前記第１蓄熱物質の相転移温度と、前記第２蓄熱物質の相転移温度とは異なることを特徴
とする構造物の製造方法。
【請求項１４】
前記成形工程では、３Ｄプリンタを用いて前記構造物を製造する請求項１３に記載の構造物の製造方法。
【請求項１５】
前記成形工程では、押出成形にて前記構造物を製造する請求項１３に記載の構造物の製造方法。
【請求項１６】
前記成形工程では、射出成形にて前記構造物を製造する請求項１３に記載の構造物の製造方法。
【発明の詳細な説明】
【技術分野】
【０００１】
本発明は、構造物及び構造物の製造方法に関する。
【背景技術】
【０００２】
住宅の屋内環境における快適条件を得るためには、断熱性、気密性、換気性、冷暖房効率、除湿の５つをバランスよく高める必要がある。ここで屋内環境における屋内温度での快適条件を得るには、冷暖房効率、換気性を考慮することが重要である。
快適条件となる屋内温度と屋外温度の差が大きくなる夏季もしくは冬季においては、冷房や暖房等の空調システムを用い、屋内環境の屋内温度を快適条件となるように調節させている。その一方、屋内の空気を入れ替える換気をすることにより、屋内の不快感が軽減されるが、屋外の新鮮な空気が屋内に流入し、その流入分が屋内温度を変化させる。その屋内温度の変化に対して、空調システムの稼動負荷が増えるため、冷暖房効率が低下する。また、快適な屋内温度の変化に対して、快適条件となる屋内温度に戻すためには、一定時間を要する。
【０００３】
特許文献１には、セラミックからなる多孔質部材で構成され、内部に流入する気体から熱と湿気を吸入しながら所定温度まで蓄熱する蓄熱構造物が開示されている。
特許文献１の構造物は、屋内と屋外とを繋ぐ換気ユニットの空気の流路に配置されることになる。また、構造物は、所定の温度まで蓄熱することができるようになっていて、換気の際に蓄熱構造物に空気を通過させて蓄熱構造物と空気との間で熱交換することにより、屋内の温度及び湿度を調整することが記載されている。
【先行技術文献】
【特許文献】
【０００４】
【特許文献１】特開２０１３−１１３４６３号公報
【発明の概要】
【発明が解決しようとする課題】
【０００５】
従来技術の構造物は、セラミックからなる多孔質部材により構成されているので材料の密度が小さいので、構造物の単位体積当たりの熱容量が小さい。このような従来技術の構造物の熱容量を増加する方法として、構造物の体積を大きくする方法がある。しかし、構造物の体積を大きくすると、構造物を設置するための空間も大きくなり、構造物の用途及び使用が制限される。このような理由から構造物の体積を大きくする以外の方法で熱容量を大きくし、熱交換を行える温度領域を広くすることも求められた。
また、従来技術の構造物は、単位体積当たりの熱容量が小さいので、構造物が流体と熱交換する際に、構造物に蓄えられた熱が直ぐに放出されてしまい、又は、構造物に蓄えることができる熱が直ぐに上限に達してしまい、幅広い温度領域で流体の温度を制御することは難しかった。すなわち、熱交換を行える温度領域が狭いという課題があった。
また、構造物の外気温度に応じて、熱容量から得られた熱を効率よく活用できるようにすることも求められた。
【課題を解決するための手段】
【０００６】
本発明は、上記課題を鑑みてなされたものであり、本発明の目的は、流体との熱交換を行う際に、熱交換機能が確保され、外気温度に応じて、熱を効率よく活用できる構造物を提供することである。
【０００７】
上記課題を解決するために本発明者らは鋭意検討を重ねた結果、熱交換の際の温度で相転移する蓄熱物質をカプセル内に封入し、該カプセルが部材の内部に存在する構造物を流体との熱交換に用いる場合において、第１蓄熱物質を含んだ第１蓄熱材と、第１蓄熱物質とは相転移温度が異なる第２蓄熱物質を含んだ第２蓄熱材の２種類の蓄熱材を用いることで、構造物の熱交換機能を確保できることを見出し、本発明を完成させた。
【０００８】
すなわち、本発明は、流体との熱交換に用いる構造物であって、上記構造物を形成する部材は、第１蓄熱材と、第２蓄熱材と、樹脂とからなり、上記第１蓄熱材は、カプセル内に第１蓄熱物質が封入されてなり、かつ、上記部材の内部に存在しており、上記第２蓄熱材は、カプセル内に第２蓄熱物質が封入されてなり、かつ、上記部材の内部に存在しており、上記第１蓄熱物質の相転移温度と、前記第２蓄熱物質の相転移温度とは異なることを特徴とする。
なお、本明細書において「第１蓄熱物質」及び「第２蓄熱物質」とは、熱交換において、構造物が温度変化する際に、相転移する物質のことを意味する。
【０００９】
本発明の構造物の内部には、カプセル内に第１蓄熱物質が封入されてなる第１蓄熱材と、カプセル内に第２蓄熱物質が封入されてなる第２蓄熱材が存在している。
例えば、本発明の構造物では、樹脂により骨格が形成され、第１蓄熱材及び／又は第２蓄熱材が樹脂の内部に又は樹脂から一部を露出して存在していてもよい。樹脂を用いることで、樹脂の内部に、又は、樹脂から一部を露出して第１蓄熱材及び／又は第２蓄熱材を存在させることができる。また、相転移温度が異なる２種類の蓄熱材を用いることにより構造物の熱容量を大きくし、熱交換できる温度領域を広げることができる。
このような構造物を流体との熱交換に用いると、構造物の温度が変化することに伴い、第１蓄熱材の第１蓄熱物質が相転移する。第１蓄熱物質が相転移する際には、潜熱として熱を放出又は吸収するので、第２蓄熱物質の温度変化は小さくなる。また、構造物の温度がさらに変化することに伴い、第２蓄熱材の第２蓄熱物質も相転移する。第２蓄熱物質が相転移する際にも、潜熱として熱を放出又は吸収するので、第１蓄熱物質の温度変化は小さくなる。第１蓄熱物質の相転移温度及び第２蓄熱物質の相転移温度が異なっていることで、熱交換できる温度領域を広げることができる。従って、本発明の構造物では、熱交換の際に熱交換機能を確保することができる。
また、第１蓄熱物質は、潜熱として熱を放出又は吸収することもできるので、相転移温度における第１蓄熱物質の放出又は吸収できる熱量は大きい。第２蓄熱物質も同様である。そのため、本発明の構造物は、単位体積当たりの放出又は吸収できる熱量が大きくなる。従って、本発明の構造物を小型化しても充分な熱量を放出又は吸収することができる。
【００１０】
また、本発明の構造物では、第１蓄熱物質の相転移温度と、第２蓄熱物質の相転移温度とは異なる。従って、上記の通り、第１蓄熱物質が相転移する際には、第２蓄熱物質に温度変化が生じず、第２蓄熱物質が相転移する際にも第１蓄熱物質に温度変化が生じない。
そのため、第１蓄熱物質が相転移している間は、構造物の温度を第１蓄熱物質の相転移温度に保ちやすくなり、第２蓄熱物質が相転移している間は、構造物の温度を第２蓄熱物質の相転移温度に保ちやすくなる。すなわち、構造物の温度を段階的に保つことができる。
【００１１】
本発明の構造物では、カプセル内に第１蓄熱物質が封入されてなる第１蓄熱材とカプセル内に第２蓄熱物質が封入されてなる第２蓄熱材が用いられている。
第１蓄熱物質及び第２蓄熱物質がそれぞれ別のカプセルに封入されることにより、第１蓄熱物質及び第２蓄熱物質が混ざることを防ぐことができる。また、第１蓄熱物質及び第２蓄熱物質が構造物から漏れ出ることを防ぐことができる。
【００１２】
本発明の構造物では、上記第１蓄熱物質の相転移温度と上記第２蓄熱物質の相転移温度との温度差は、５℃以上であることが望ましく、１５℃以上であることがより望ましい。
第１蓄熱物質の相転移温度と第２蓄熱物質の相転移温度との温度差が５℃以上であると、異なるそれぞれの温度領域において構造物の蓄熱量を大きくすることができる。さらに、第１蓄熱物質の相転移温度と第２蓄熱物質の相転移温度との温度差が１５℃以上であることで構造物に対する構造物の蓄熱量を大きくし、温度領域が広げられるので使用および用途の適用を広げることができる。
【００１３】
本発明の構造物は、流体が流入する流入口と、上記流入口から流入した流体が通過する流路と、上記流路を通過した流体が流出する流出口とを有することが望ましい。
構造物が流入口、流路、流出口を有する構造であると、流体との熱交換において、流体が構造物の内部を通過することになる。
つまり、流体が構造物を通過する間、流体と構造物とが接触することになり、その結果、接触に対して、流体と構造物との間で効率よく熱交換することができる。
【００１４】
本発明の構造物の上記流入口側又は上記流出口側にはファンが設置されていてもよい。ファンを設置することにより、構造物内での空気の流れを作りやすくなり、熱交換を効率よく行うことができるのである。従って、構造物は、流体の温度を制御する機能が好適に発揮される。
【００１５】
本発明の構造物は、複数の上記流路を有することが望ましい。
複数の流路を有する構造物であると、流体と構造物との接触度合いを増加させることができる。流体と構造物との熱交換効率は、これらの接触度合いの大きさに依存するので、本発明の構造物では、効率よく熱交換をすることができる。
【００１６】
本発明の構造物の形状は、複数の上記流路が隔壁を隔てて長手方向に並設されたハニカム形状であることが望ましい。
構造物がハニカム形状であると、流路の形状の組み合わせにより用途の自由度が上がる。また、構造物の強度を強くすることができる。さらに、流体と構造物との接触度合いを増加させることができる。
【００１７】
本発明の構造物では、上記隔壁の厚さは、５０〜５０００μｍであることが望ましい。
隔壁の厚さが、５０μｍ以上であると、隔壁が充分に厚いので、構造物の強度が充分に強くなる。また、隔壁に含まれる蓄熱材を充分な量とすることができるので、熱交換効率が向上する。
隔壁の厚さが、５０００μｍ以下であると、流体と構造物との接触度合いを充分に大きくすることができる。また、隔壁の内部まで熱が伝わりやすくなる。そのため、熱交換効率が向上する。
【００１８】
本発明の構造物では、上記流路の密度は、上記構造物の長手方向に垂直な断面において、１０〜１０００個／平方インチであることが望ましい。
流路の密度が、１０個／平方インチ以上であると、流体と構造物との接触度合いが大きくなる。そのため、熱交換効率が向上する。
流路の密度が、１０００個／平方インチ以下であると、隔壁が充分な厚さとなり、構造物が充分な強度となる。
【００１９】
本発明の構造物では、上記蓄熱材の平均粒子径は、１０〜６０００μｍであることが望ましい。
蓄熱材の平均粒子径が１０μｍ以上であると、蓄熱材に封入される蓄熱物質の量が充分な量となり、蓄熱材の量に対する、構造物の熱交換効率が充分に高くなる。また、構造物を形成することが阻害されにくくなる。
蓄熱材の平均粒子径が６０００μｍ以下であると、蓄熱材の表面積が充分に大きくなり、蓄熱物質への伝熱速度又は蓄熱物質からの伝熱速度が充分に速くなる。その結果、構造物の熱交換効率が向上する。
本発明の構造物では、蓄熱材の平均粒子径が、隔壁の厚さよりも大きくてもよく、小さくてもよい。
隔壁の厚さに対して、平均粒子径が小さい蓄熱材を用いると、蓄熱材は隔壁内に収容される、又は、部分的に露出をすることになる。また、隔壁の厚さに対して、平均粒子径が同等又は大きい蓄熱材を用いると、蓄熱材は隔壁の少なくとも片側で露出をすることになる。
蓄熱材の平均粒子径は、熱交換効率や伝熱速度を考慮し、用途に応じて決定することが望ましい。
また、蓄熱材の平均粒子径は、レーザー回折・散乱法により測定することができる。レーザー回折・散乱法を用いることにより粒度分布も測定することが可能になる。
【００２０】
本発明の構造物では、上記第１蓄熱材及び上記第２蓄熱材の平均粒子径は、１０〜６０００μｍであることが望ましい。
第１蓄熱材及び第２蓄熱材の平均粒子径が、１０〜６０００μｍであると、熱交換という観点では、蓄熱量を大きくし、温度領域が広げられるという効果を奏し、構造物の成形のしやすさという観点では、形状保持性が確保されるという効果を奏する。
【００２１】
本発明の構造物では、上記第１蓄熱材及び上記第２蓄熱材の合計含有量は、上記構造物の体積に対し５〜８５％であることが望ましい。
なお、「構造物の体積」とは、構造物の部材がある部分の体積を意味し、例えば、構造物の内部に空間がある場合、その空間は「構造物の体積」に含まれない。
また、体積の基準は、２５℃における第１蓄熱材及び第２蓄熱材の体積と、２５℃における構造物の体積である。
なお、第１蓄熱材及び第２蓄熱材の合計含有量が５％以上であると、第１蓄熱物質及び第２蓄熱物質の量が充分な量となり、構造物の熱交換効率が向上する。
第１蓄熱材及び第２蓄熱材の合計含有量が８５％以下であると、構造物を構成する樹脂の割合が高くなり、構造物の強度が充分に高くなる。
【００２２】
本発明の構造物では、上記第１蓄熱材及び／又は上記第２蓄熱材の一部が、上記部材の表面に露出していることが望ましい。
上記第１蓄熱材及び／又は上記第２蓄熱材の一部が、部材の表面に露出していると、熱交換の際に流体と蓄熱材とが直接接することになる。従って、効率よく熱交換をすることができる。
【００２３】
本発明の構造物では、上記樹脂は、熱硬化性樹脂、熱可塑性樹脂及び紫外線硬化樹脂からなる群から選ばれる少なくとも１種であることが望ましい。
これら樹脂は、本発明の構造物を構成する樹脂の骨格を形成することもでき、第１蓄熱材及び／又は第２蓄熱材を部材の内部に配置することができ、また、一部が露出するように配置することもできる。
【００２４】
本発明の構造物では、上記樹脂は、上記樹脂の熱伝導率よりも高い熱伝導率を有する樹脂用フィラーを含んでいてもよい。
樹脂がこのような熱伝導率を有する樹脂用フィラーを含むと、樹脂と第１蓄熱材及び第２蓄熱材との間の熱移動速度を向上させることができる。また、第１蓄熱材及び第２蓄熱材にはそれぞれ第１蓄熱物質及び第２蓄熱物質が含まれているので、結果的に、各蓄熱物質への熱移動の速度、又は、各蓄熱物質からの熱移動の速度を向上させることもできる。従って、効率よく熱交換をすることができる。
【００２５】
本発明の構造物の製造方法は、カプセル内に第１蓄熱物質が封入された第１蓄熱材と、カプセル内に第２蓄熱物質が封入された第２蓄熱材と、樹脂とを混合して混合物を調製する混合工程と、前記混合物を成形して、上記第１蓄熱材と、上記第２蓄熱材と、上記樹脂とからなる部材により形成される構造物とする成形工程を含み、上記第１蓄熱物質の相転移温度と、上記第２蓄熱物質の相転移温度とは異なることを特徴とする。
本発明の構造物の製造方法により、上記本発明の構造物を製造することができる。
【００２６】
本発明の構造物の製造方法において、上記成形工程では、３Ｄプリンタを用いて上記構造物を製造することが望ましい。
３Ｄプリンタを用いることにより、任意の形状の構造物を製造することができる。
【００２７】
本発明の構造物の製造方法において、上記成形工程では、押出成形にて上記構造物を製造することが望ましい。
本発明の構造物の製造方法において、上記成形工程では、射出成形にて上記構造物を製造することが望ましい。
上記の押出成形又は射出成形のいずれかの成形方法を用いることにより、低コストで容易に所定の形状の構造物を製造することができる。
【図面の簡単な説明】
【００２８】
【図１】図１（ａ）は、本発明の構造物の一例を模式的に示す斜視図である。図１（ｂ）は、図１（ａ）のＡ−Ａ線断面図である。
【図２】図２は、本発明の構造物を形成する部材の内部の一例を模式的に示す本発明の構造物の断面図である。
【図３】図３は、本発明の構造物において、第１蓄熱材及び第２蓄熱材の一部が部材の表面から露出している態様の一例を拡大して模式的に示す本発明の構造物の断面図である。
【図４】図４は、本発明の構造物において、第１蓄熱材及び第２蓄熱材が部材を貫通し、部材の表面から露出している態様の一例を拡大して模式的に示す本発明の構造物の断面図である。
【図５】図５は、流体が、流体の温度よりも高い温度の本発明の構造物と熱交換する際の、本発明の構造物及び本発明の構造物と熱交換した流体の温度変化の一例を模式的に示すグラフである。
【図６】図６は、流体が、流体の温度よりも高い温度の一般的な熱交換用構造物と熱交換する際の、一般的な熱交換用構造物及び一般的な熱交換用構造物と熱交換した流体の温度変化の一例を模式的に示すグラフである。
【図７】図７は、流体が、流体の温度よりも高い温度、かつ、蓄熱物質が１種類のみ使用されている熱交換用構造物と熱交換する際の、熱交換用構造物及び熱交換用構造物と熱交換した流体の温度変化の一例を模式的に示すグラフである。
【図８】図８は、流体が、流体の温度よりも低い温度の本発明の構造物と熱交換する際の、本発明の構造物及び本発明の構造物と熱交換した流体の温度変化の一例を模式的に示すグラフである。
【図９】図９は、流体が、流体の温度よりも低い温度の一般的な熱交換用構造物と熱交換する際の、一般的な熱交換用構造物及び一般的な熱交換用構造物と熱交換した流体の温度変化の一例を模式的に示すグラフである。
【図１０】図１０は、流体が、流体の温度よりも低い温度、かつ、蓄熱物質が１種類のみ使用されている熱交換用構造物と熱交換する際の、熱交換用構造物及び熱交換用構造物と熱交換した流体の温度変化の一例を模式的に示すグラフである。
【図１１】図１１は、本発明の構造物が用いられた住宅換気システムの一例を模式的に示す模式図である。
【図１２】図１２は、図１１に示す住宅換気システムを用いて換気をする工程の一例を模式的に示す模式図である。
【図１３】図１３（ａ）〜（ｄ）は、実施例３の成形工程を模式的に示す模式図である。
【図１４】図１４は、排気実験の結果を示すグラフである。
【００２９】
（発明の詳細な説明）
以下、詳述する。
本発明の構造物は、流体との熱交換に用いる構造物である。
流体としては、特に限定されず、液体であっても気体であっても良いが、気体であることが望ましい。また、流体としては、空気であることがより望ましい。
【００３０】
本発明の構造物は部材により形成される。
また、本発明の構造物では、部材は、第１蓄熱材と、第２蓄熱材と、樹脂とからなり、部材の内部には、第１蓄熱材及び第２蓄熱材が存在している。
また、本発明の構造物では、第１蓄熱材は、カプセル内に第１蓄熱物質が封入されてなり、第２蓄熱材は、カプセル内に第２蓄熱物質が封入されてなる。
また、本発明の構造物では、第１蓄熱物質の相転移温度と、第２蓄熱物質の相転移温度とは異なる。
【００３１】
本発明の構造物では、第１蓄熱物質の相転移温度と、第２蓄熱物質の相転移温度とは異なるので、本発明の構造物を流体との熱交換に用いると、構造物の温度が変化することに伴い、第１蓄熱材の第１蓄熱物質が相転移する。第１蓄熱物質が相転移する際には、潜熱として熱を放出又は吸収するので、第２蓄熱物質の温度変化は小さくなる。また、構造物の温度がさらに変化することに伴い、第２蓄熱材の第２蓄熱物質も相転移する。第２蓄熱物質が相転移する際にも、潜熱として熱を放出又は吸収するので、第１蓄熱物質の温度変化は小さくなる。第１蓄熱物質の相転移温度及び第２蓄熱物質の相転移温度が異なっていることで、熱交換できる温度領域を広げることができる。従って、本発明の構造物では、熱交換の際に熱交換機能を確保することができる。
【００３２】
本発明の構造物では、カプセル内に第１蓄熱物質が封入されてなる第１蓄熱材とカプセル内に第２蓄熱物質が封入されてなる第２蓄熱材が用いられている。
第１蓄熱物質及び第２蓄熱物質がそれぞれ別のカプセルに封入されることにより、第１蓄熱物質及び第２蓄熱物質が混ざることを防ぐことができる。また、第１蓄熱物質及び第２蓄熱物質が構造物から漏れ出ることを防ぐことができる。
【００３３】
本発明の構造物の形状は、特に限定されないが、例えば以下の形状があげられる。
【００３４】
すなわち、本発明の構造物の形状は、流体の流れを変えるフィン形状であってもよい。
本発明の構造物の形状がフィン形状であると、本発明の構造物は配管ダクト等のフィンに用いることができる。配管ダクト等のフィンは、流体と接触することになる。従って、本発明の構造物は、フィンの機能を果たすと共に、流体の温度を制御する機能も有する。
【００３５】
また、本発明の構造物の形状は、流体が流入する流入口と、流入口から流入した流体が通過する流路と、流路を通過した流体が流出する流出口とを有する形状であってもよい。
本発明の構造物が流入口、流路、流出口を有する構造であると、流体との熱交換において、流体が本発明の構造物の内部を通過することになる。
つまり、流体が本発明の構造物を通過する間、流体と本発明の構造物とが接触することになり、その結果、接触に対して、流体と本発明の構造物との間で効率よく熱交換することができる。
【００３６】
また、本発明の構造物の形状が、流体が流入する流入口と、流入口から流入した流体が通過する流路と、流路を通過した流体が流出する流出口とを有する形状である場合、流入口側又は流出口側にはファンが設置されていてもよい。ファンを設置することにより、本発明の構造物内での空気の流れを作りやすくなり、熱交換を効率よく行うことができるのである。従って、本発明の構造物は、流体の温度を制御する機能が好適に発揮される。
【００３７】
さらに、本発明の構造物は、流路の外壁と外壁の内側に配置されたフィンを形成していてもよい。
本発明の構造物がこのような形状であると、容易に流路内に空気を導入又は流路から空気を排出することができ、熱効率を向上させることができる。
【００３８】
また、本発明の構造物は、複数の流路を有する形状であってもよい。
本発明の構造物が、複数の流路を有する構造であると、流体と本発明の構造物との接触度合いを増加させることができる。流体と本発明の構造物との熱交換効率は、これらの接触度合いの大きさに依存するので、本発明の構造物では、効率よく熱交換をすることができる。
【００３９】
さらに、本発明の構造物は、構造物の形状は、複数の流路が隔壁を隔てて長手方向に並設されたハニカム形状であってもよい。
本発明の構造物が、ハニカム形状であると、流路の形状の組み合わせにより用途の自由度が上がる。また、構造物の強度を強くすることができる。さらに、流体と構造物との接触度合いを増加させることができる。
【００４０】
本発明の構造物の形状がハニカム形状である場合、隔壁の厚さは、特に限定されないが、５０〜５０００μｍであることが望ましく、５００〜３０００μｍであることがより望ましい。
隔壁の厚さが、５０μｍ以上であると、隔壁が充分に厚いので、構造物の強度が充分に強くなる。また、隔壁に含まれる第１蓄熱材及び第２蓄熱材を充分な量とすることができるので、熱交換効率が向上する。
隔壁の厚さが、５０００μｍ以下であると、流体と構造物との接触度合いを充分に大きくすることができる。また、隔壁の内部まで熱が伝わりやすくなる。そのため、熱交換効率が向上する。
【００４１】
本発明の構造物の形状がハニカム形状である場合、流路の密度は、特に限定されないが、本発明の構造物の長手方向に垂直な断面において、１０〜１０００個／平方インチであることが望ましく、３０〜８００個／平方インチであることがより望ましい。
流路の密度が、１０個／平方インチ以上であると、流体と本発明の構造物との接触度合いが大きくなる。そのため、熱交換効率が向上する。
流路の密度が、１０００個／平方インチ以下であると、隔壁が充分な厚さとなり、本発明の構造物が充分な強度となる。
【００４２】
本発明の構造物の形状がハニカム形状である場合、本発明の構造物の長手方向に垂直な断面において、流路の形状は、特に限定されず、例えば、三角形、四角形、五角形、六角形、八角形以上の多角形であってもよい。
【００４３】
本発明の構造物がハニカム形状である場合についてさらに詳述すると、図１（ａ）及び（ｂ）並びに図２に示す形状があげられる。
図１（ａ）は、本発明の構造物の一例を模式的に示す斜視図である。図１（ｂ）は、図１（ａ）のＡ−Ａ線断面図である。
図２は、本発明の構造物を形成する部材の内部の一例を模式的に示す本発明の構造物の断面図である。
図１（ａ）及び（ｂ）に示す構造物１は、流体Ｆとの熱交換に用いる構造物である。
構造物１は、流体Ｆが流入する複数の流入口２１と、流入口２１から流入した流体Ｆが通過する複数の流路２２と、流路２２を通過した流体Ｆが流出する複数の流出口２３とを有しており、構造物１の形状は、複数の流路２２が隔壁２４を隔てて長手方向に並設されたハニカム形状である。なお、流体Ｆの流れは、図１（ｂ）中に矢印で示す。
また、図２に示すように、構造物１を形成する部材１０は、第１蓄熱材１１と、第２蓄熱材１２と、樹脂１６とからなる。
そして、第１蓄熱材１１は、カプセル１１ｂ内に第１蓄熱物質１１ａが封入されてなり、かつ、部材１０の内部に存在しており、また、第２蓄熱材１２は、カプセル１２ｂ内に第２蓄熱物質１２ａが封入されてなり、かつ、部材１０の内部に存在している。
【００４４】
上記の通り構造物１は、流体Ｆが流入する流入口２１と、流入口２１から流入した流体Ｆが通過する流路２２と、流路２２を通過した流体Ｆが流出する流出口２３とを有している。
構造物１がこのような構造であると、流体Ｆとの熱交換において、流体Ｆは構造物１の内部を通過することになる。つまり、流体Ｆが構造物１を通過する間、流体Ｆの周囲には常に構造物１が存在することになる。そのため、流体Ｆが構造物１を通過する際に、常に流体Ｆと構造物１とが接触することになる。従って、効率よく熱交換することができる。
【００４５】
また、構造物１は、複数の流路２２を有している。
構造物１が複数の流路２２を有すると、流体Ｆと、構造物１との接触度合いを増加させることができる。流体Ｆと構造物１との熱交換効率は、これらの接触度合いの大きさに依存するので、構造物１では、効率よく熱交換をすることができる。
【００４６】
さらに、構造物１の形状は、複数の流路２２が隔壁２４を隔てて長手方向に並設されたハニカム形状である。
構造物１の形状がハニカム形状であると、流路２２の形状の組み合わせにより用途及び使用の自由度が上がる。また、構造物１の強度を充分に強くすることができる。さらに、流体Ｆと構造物１との接触度合いを増加させることができる。
【００４７】
構造物１では、隔壁２４の厚さは、特に限定されないが、５０〜５０００μｍであることが望ましく、５００〜３０００μｍであることがより望ましい。
隔壁２４の厚さが、５０μｍ以上であると、隔壁２４が充分に厚いので、構造物１の強度が充分に強くなる。また、隔壁２４に含まれる第１蓄熱材１１及び第２蓄熱材１２を充分な量とすることができるので、熱交換効率が向上する。
隔壁２４の厚さが、５０００μｍ以下であると、流体Ｆと構造物１との接触度合いを充分に大きくすることができる。また、隔壁２４の内部まで熱が伝わりやすくなる。そのため、熱交換効率が向上する。
【００４８】
構造物１では、流路２２の密度は、特に限定されないが、構造物１の長手方向に垂直な断面において、１０〜１０００個／平方インチであることが望ましく、３０〜８００個／平方インチであることがより望ましい。
流路２２の密度が、１０個／平方インチ以上であると、流体Ｆと構造物１との接触度合いが大きくなる。そのため、熱交換効率が向上する。
流路２２の密度が、１０００個／平方インチ以下であると、隔壁２４が充分な厚さとなり、構造物１が充分な強度となる。
【００４９】
また、構造物１の長手方向に垂直な断面において、流路２２の形状は、特に限定されず、例えば、三角形、四角形、五角形、六角形、八角形以上の多角形であってもよい。
【００５０】
次に、本発明の構造物に含まれる第１蓄熱材及び第２蓄熱材、並びに、第１蓄熱物質及び第２蓄熱物質について詳述する。
【００５１】
本発明の構造物に含まれる第１蓄熱物質及び第２蓄熱物質は、熱交換において、本発明の構造物が温度変化する際に、相転移する物質である。そして、第１蓄熱物質の相転移温度と、第２蓄熱物質の相転移温度とは異なる。
なお、相転移の態様としては、固体から液体への相転移、固体から気体への相転移、液体から固体への相転移、液体から気体への相転移、気体から固体への相転移等が挙げられる。第１蓄熱移物質及び第２蓄熱物質は、本発明の構造物を用いて熱交換する際に、固体から液体又は液体から固体に相転移することが望ましい。
【００５２】
本発明の構造物の内部には、カプセル内に第１蓄熱物質が封入された第１蓄熱材と、カプセル内に第２蓄熱物質が封入された第２蓄熱材とが存在している。
このような本発明の構造物を流体との熱交換に用いると、本発明の構造物の温度が変化することに伴い、第１蓄熱材の第１蓄熱物質が相転移する。第１蓄熱物質が相転移する際には、潜熱として熱を放出又は吸収するので、第２蓄熱物質の温度変化は小さくなる。また、本発明の構造物の温度がさらに変化することに伴い、第２蓄熱材の第２蓄熱物質も相転移する。第２蓄熱物質が相転移する際にも、潜熱として熱を放出又は吸収するので、第１蓄熱物質の温度変化は小さくなる。第１蓄熱物質の相転移温度及び第２蓄熱物質の相転移温度が異なっていることで、熱交換の際に、本発明の構造物を所定の温度に長時間保ちやすくなる。従って、本発明の構造物では、熱交換の際に熱交換機能を確保することができる。
また、第１蓄熱物質は、潜熱として熱を放出又は吸収することもできるので、相転移温度における第１蓄熱物質の放出又は吸収する熱量は大きい。第２蓄熱物質も同様である。そのため、本発明の構造物では、単位体積当たりの放出又は吸収できる熱量が大きくなる。従って、本発明の構造物を小型化しても充分な熱量を放出又は吸収することができる。
【００５３】
また、本発明の構造物では、第１蓄熱物質の相転移温度と、第２蓄熱物質の相転移温度とは異なる。従って、上記の通り、第１蓄熱物質が相転移する際には、第２蓄熱物質の温度変化は小さく、第２蓄熱物質が相転移する際には、第１蓄熱物質の温度変化は小さくなる。
そのため、第１蓄熱物質が相転移している間は、本発明の構造物の温度を第１蓄熱物質の相転移温度に保ちやすくなり、第２蓄熱物質が相転移している間は、本発明の構造物の温度を第２蓄熱物質の相転移温度に保ちやすくなる。すなわち、本発明の構造物の温度を段階的に保つことができる。
なお、第１蓄熱物質の相転移温度と第２蓄熱物質の相転移温度との温度差は、５℃以上であることが望ましく、１５℃以上であることがより望ましい。５℃以上の温度差により、異なるそれぞれの温度領域において構造物の蓄熱量を大きくすることができる。さらに、第１蓄熱物質の相転移温度と第２蓄熱物質の相転移温度との温度差が１５℃以上であることで本発明の構造物に対する温度領域が広げられるので使用および用途の適用を広げることができる。
【００５４】
本発明の構造物では、第１蓄熱材の平均粒子径及び第２蓄熱材の平均粒子径は、特に限定されないが、１０〜６０００μｍであることが望ましく、５０〜１５００μｍであることがより望ましい。
第１蓄熱材及び第２蓄熱材の平均粒子径が１０μｍ以上であると、第１蓄熱材及び第２蓄熱材の含有量が充分な量となり、第１蓄熱材及び第２蓄熱材の量に対する、本発明の構造物の熱交換効率が充分に高くなる。また、本発明の構造物を製造する際にその形状を形成することが阻害されにくくなる。
また、第１蓄熱材及び第２蓄熱材の平均粒子径が６０００μｍ以下であると、第１蓄熱材及び第２蓄熱材の表面積が充分に大きくなり、第１蓄熱材及び第２蓄熱材への伝熱速度又は第１蓄熱材及び第２蓄熱材からの伝熱速度が充分に速くなる。その結果、本発明の構造物の熱交換効率が向上する。
第１蓄熱材の平均粒子径及び第２蓄熱材の平均粒子径は、熱交換効率や伝熱速度を考慮し、用途に応じて決定することが望ましい。
【００５５】
また、本発明の構造物には、平均粒子径が相対的に異なる第１蓄熱材及び第２蓄熱材が含まれていてもよい。平均粒子径が相対的に異なるとは、第１蓄熱材及び第２蓄熱材の粒度分布において、ピークが２つ以上あることを意味する。本発明の構造物に、平均粒子径が相対的に異なる第１蓄熱材及び第２蓄熱材が含まれていると、相対的に小さい蓄熱材が、相対的に大きい蓄熱材同士の間に入り込み、相対的に大きい蓄熱材の隙間を埋めることができる。その結果、本発明の構造物に含まれる蓄熱材の量を大きくすることができる。そのため、本発明の構造物の蓄熱量を大きくし、温度領域が広げられるという効果を奏しやすくなる。
本発明の構造物に、平均粒子径が相対的に異なる第１蓄熱材及び第２蓄熱材が含まれる場合、第１蓄熱材が、相対的に大きい平均粒子径を有し、第２蓄熱材が、相対的に小さい平均粒子径を有していてもよく、この逆であってもよい。また、どちらかの蓄熱材のみが、平均粒子径が相対的に異なっていてもよく、その両方の蓄熱材が、それぞれ、平均粒子径が相対的に異なっていてもよい。
平均粒子径が相対的に大きい第１蓄熱材及び第２蓄熱材の平均粒子径は、特に限定されないが、５００〜３０００μｍであることが望ましく、８００〜１５００μｍであることがより望ましい。
平均粒子径が相対的に小さい第１蓄熱材及び第２蓄熱材の平均粒子径は、特に限定されないが、１０〜３００μｍであることが望ましく、５０〜２００μｍであることがより望ましい。
【００５６】
本発明の構造物では、第１蓄熱材及び第２蓄熱材の合計含有量は、特に限定されないが、本発明の構造物の体積に対し５〜８５％であることが望ましく、３０〜７４％であることがより望ましい。
なお、「構造物の体積」とは、部材がある部分の体積を意味し、例えば、本発明の構造物に内部空間がある場合には、内部空間の体積は、「構造物の体積」に含まれない。
また、体積の基準は、２５℃における第１蓄熱物質及び第２蓄熱物質の体積と、２５℃における本発明の構造物の体積である。
第１蓄熱材及び第２蓄熱材の合計含有量が５％以上であると、第１蓄熱物質及び第２蓄熱物質の量が充分な量となり、本発明の構造物の熱交換効率が向上する。
第１蓄熱材及び第２蓄熱材の合計含有量が８５％以下であると、本発明の構造物を構成する樹脂の割合が高くなり、構造物の強度が充分に高くなる。
【００５７】
本発明の構造物では、第１蓄熱材及び第２蓄熱材の一部が、部材の表面に露出していることが望ましい。すなわち、第１蓄熱材及び第２蓄熱材の一部が、部材から飛び出し、流体と直接接する状態であることが望ましい。
第１蓄熱材の一部及び第２蓄熱材の一部が、部材の表面に露出していると、熱交換の際に流体と、第１蓄熱材及び第２蓄熱材とが直接接することになる。従って、効率よく熱交換をすることができる。
また、本発明の構造物では、第１蓄熱材及び第２蓄熱材が部材の内部に存在していれば、部材の表面に蓄熱材がさらに付着していてもよい。
【００５８】
本発明の構造物では、カプセル内に第１蓄熱物質が封入されてなる第１蓄熱材とカプセル内に第２蓄熱物質が封入されてなる第２蓄熱材が用いられている。
第１蓄熱物質及び第２蓄熱物質がそれぞれ別のカプセルに封入されることにより、第１蓄熱物質及び第２蓄熱物質が混ざることを防ぐことができる。また、第１蓄熱物質及び第２蓄熱物質が本発明の構造物から漏れ出ることを防ぐことができる。
各蓄熱材としては、三菱製紙株式会社製の商品名：サーモメモリー、三木理研株式会社製の蓄熱用マイクロカプセル、及び、ＪＳＲ株式会社製の商品名：ＣＡＬＧＲＩＰ等の市販されているものを用いることができる。
【００５９】
上記の通り本発明の構造物では、第１蓄熱物質及び第２蓄熱物質は、熱交換において、固体から液体又は固体から液体に相転移することが望ましい。また、その融点は、特に限定されないが、第１蓄熱物質の融点は、５〜２０℃であることが望ましく、１０〜２０℃であることがより望ましい。また、第２蓄熱物質の融点は、２５〜４０℃であることが望ましく、３０〜４０℃であることがより望ましい。
本発明の構造物を熱交換に用いる際に、本発明の構造物を所定の温度に保つ効果は、第１蓄熱物質の相転移温度及び第２蓄熱物質の相転移温度に依存する。また、第１蓄熱物質の相転移及び第２蓄熱物質の相転移において、液体から固体への変化、又は、固体から液体への変化は体積の変化が少ないので制御しやすい。
そのため、第１蓄熱物質及び第２蓄熱物質の融点が上記範囲にあると、熱交換の際に、本発明の構造物を好適な温度に保つことができる。また、第１蓄熱物質及び第２蓄熱物質の融点が上記範囲にあることにより、本発明の構造物の蓄熱量を任意に制御することができる。
【００６０】
本発明の構造物では、第１蓄熱物質は、特に限定されないが、パラフィン、硫酸ナトリウム水和物、酢酸ナトリウム水和物、塩化カルシウム水和物、エリスリトール及びチオ硫酸ナトリウムからなる群から選ばれる少なくとも１種の熱硬化性樹脂であることが望ましい。
また、第２蓄熱物質は、特に限定されないが、パラフィン、硫酸ナトリウム水和物、酢酸ナトリウム水和物、塩化カルシウム水和物、エリスリトール及びチオ硫酸ナトリウムからなる群から選ばれる少なくとも１種の熱硬化性樹脂であることが望ましい。
これら物質は、容易に融点を制御することができるので第１蓄熱物質及び第２蓄熱物質として好適に用いることができる。これらの中では、用途や使用に対しての設計の自由度が高くなるので、パラフィンを用いることが望ましい。
なお、第１蓄熱物質の構成材料と、第２蓄熱物質の構成材料との組み合わせは、両者の相転移温度が異なれば、どのような物質の組み合わせであってもよい。
【００６１】
本発明の構造物では、第１蓄熱物質又は第２蓄熱物質を封入させるカプセル又はカプセルの構成材料は、特に限定されないが、メラミン樹脂、尿素樹脂、ポリウレタン、ポリウレア、ポリアミド及びポリアクリルアミドからなる群から選ばれる少なくとも１種の熱硬化性樹脂であることが望ましい。
各カプセルがこれら熱硬化性樹脂であると、熱交換の際に、熱によりカプセルが破壊されることを防止することができる。
【００６２】
本発明の構造物では、各カプセルは、各カプセルの熱伝導率よりも高い熱伝導率を有するカプセル用フィラーを含むことが望ましい。
各カプセルがこのような熱伝導率を有するカプセル用フィラーを含むと、第１蓄熱物質及び第２蓄熱物質へ熱を伝えやすくなる。すなわち、第１蓄熱物質及び第２蓄熱物質への伝熱速度、又は、第１蓄熱物質及び第２蓄熱物質からの伝熱速度を向上させることができる。従って、効率よく熱交換をすることができる。
【００６３】
カプセル用フィラーとしては、特に限定されないが、無機フィラー、金属フィラーからなる群から選ばれる少なくとも１種であることが望ましい。
【００６４】
次に、本発明の構造物がハニカム形状である構造物である場合、本発明の構造物に含まれる第１蓄熱材及び第２蓄熱材の望ましい態様を説明する。
【００６５】
本発明の構造物では、第１蓄熱材の平均粒子径及び第２蓄熱材の平均粒子径が、隔壁の厚さよりも大きくてもよく、小さくてもよい。
隔壁の厚さに対して、平均粒子径が小さい第１蓄熱材及び第２蓄熱材を用いると、各蓄熱材は隔壁内に収容される、又は、部分的に露出をすることになる。また、隔壁の厚さに対して、平均粒子径が同等又は大きい第１蓄熱材及び第２蓄熱材を用いると、各蓄熱材は隔壁の少なくとも片側で露出をすることになる。
【００６６】
また、本発明の構造物、第１蓄熱材及び第２蓄熱材の一部が、部材の表面に露出していることが望ましい。すなわち、第１蓄熱材及び第２蓄熱材の一部が、部材から飛び出し、流体と直接接する状態であることが望ましい。
第１蓄熱材の一部及び第２蓄熱材の一部が、部材の表面に露出していると、熱交換の際に流体と、第１蓄熱材及び第２蓄熱材とが直接接することになる。従って、効率よく熱交換をすることができる。
【００６７】
本発明の構造物では、第１蓄熱材及び第２蓄熱材が部材を貫通し、部材の表面に露出していてもよい。
【００６８】
より具体的に、第１蓄熱材及び第２蓄熱材の望ましい態様を詳述する。
本発明の構造物が上記構造物１である場合、構造物１では、第１蓄熱材１１の平均粒子径及び第２蓄熱材１２の平均粒子径が、隔壁２４の厚さよりも大きくてもよく、小さくてもよい。
隔壁２４の厚さに対して、平均粒子径が小さい第１蓄熱材１１及び第２蓄熱材１２を用いると、各蓄熱材は隔壁２４内に収容される、又は、部分的に露出をすることになる。また、隔壁２４の厚さに対して、平均粒子径が同等又は大きい第１蓄熱材１１及び第２蓄熱材１２を用いると、各蓄熱材は隔壁２４の少なくとも片側で露出をすることになる。
【００６９】
構造物１では、図３に示すように、第１蓄熱材１１及び第２蓄熱材１２の一部が、部材１０の表面１７に露出していることが望ましい。
図３は、本発明の構造物において、第１蓄熱材及び第２蓄熱材の一部が部材の表面から露出している態様の一例を拡大して模式的に示す本発明の構造物の断面図である。
すなわち、第１蓄熱材１１及び第２蓄熱材１２の一部が、部材１０から飛び出し、流体Ｆと直接接する状態であることが望ましい。
第１蓄熱材１１の一部及び第２蓄熱材１２の一部が、部材１０の表面１７に露出していると、熱交換の際に流体Ｆと、第１蓄熱材１１及び第２蓄熱材１２とが直接接することになる。従って、効率よく熱交換をすることができる。
【００７０】
図４は、本発明の構造物において、第１蓄熱材及び第２蓄熱材が部材を貫通し、部材の表面から露出している態様の一例を拡大して模式的に示す本発明の構造物の断面図である。
図４に示すように、構造物１では、第１蓄熱材１１及び第２蓄熱材１２が部材１０を貫通し、部材１０の表面１７に露出していてもよい。
【００７１】
次に、本発明の構造物に含まれる樹脂について詳述する。
【００７２】
本発明の構造物では、樹脂は、特に限定されないが、熱硬化性樹脂、熱可塑性樹脂及び紫外線硬化樹脂からなる群から選ばれる少なくとも１種であることが望ましく、ＡＢＳ樹脂、ポリプロピレン、オレフィン系エラストマー及びアクリル樹脂からなる群から選ばれる少なくとも１種であることがより望ましい。
これら樹脂は、本発明の構造物を構成する樹脂の骨格を形成することもでき、第１蓄熱材及び第２蓄熱材を内部に、又は、一部が露出するように配置することができる。
【００７３】
本発明の構造物では、樹脂は、樹脂の熱伝導率よりも高い熱伝導率を有する樹脂用フィラーを含むことが望ましい。
樹脂がこのような熱伝導率を有する樹脂用フィラーを含むと、樹脂と第１蓄熱材及び／又は第２蓄熱材との間の熱移動速度を向上させることができる。また、第１蓄熱材及び第２蓄熱材には、それぞれ、第１蓄熱物質及び第２蓄熱物質が含まれているので、結果的に、各蓄熱物質への熱移動の速度、又は、各蓄熱物質からの熱移動の速度を向上させることもできる。従って、効率よく熱交換をすることができる。
【００７４】
樹脂用フィラーとしては、特に限定されないが、無機フィラー、金属フィラーからなる群から選ばれる少なくとも１種であることが望ましい。
【００７５】
本発明の構造物において、第１蓄熱材及び第２蓄熱材の合計体積と、樹脂の体積との比率は、特に限定されないが、第１蓄熱材及び第２蓄熱材の合計体積：樹脂の体積＝５：９５〜８５：１５であることが望ましく、３０：７０〜７４：２６であることがより望ましい。
【００７６】
なお、本発明の構造物には、樹脂、第１蓄熱材及び第２蓄熱材の他に、無機繊維、金属粉末、成形性をよくするための潤滑剤や加工助剤等の物質が含まれていてもよい。
【００７７】
次に、本発明の構造物と、流体との間の熱交換について説明する。
まず、本発明の構造物の温度が、流体の温度より高く、流体が構造物と熱交換する際に流体が温められる場合を説明する。
なお、以下に説明する本発明の構造物では、第１蓄熱物質の相転移温度αは、第２蓄熱物質の相転移温度βよりも低い。
図５は、流体が、流体の温度よりも高い温度の本発明の構造物と熱交換する際の、本発明の構造物及び本発明の構造物と熱交換した流体の温度変化の一例を模式的に示すグラフである。
図５において、実線は本発明の構造物の温度を示し、破線は本発明の構造物と熱交換した流体の温度を示している。また、斜線で示す領域は、流体の望ましい温度範囲を示す。
図６は、流体が、流体の温度よりも高い温度の一般的な熱交換用構造物と熱交換する際の、一般的な熱交換用構造物及び一般的な熱交換用構造物と熱交換した流体の温度変化の一例を模式的に示すグラフである。なお、一般的な熱交換用構造物とは、例えば、蓄熱材料を含まないセラミック多孔体等であり、顕熱により熱交換する熱交換用構造物のことを意味する。
図６において、実線は、一般的な熱交換用構造物の温度を示し、破線は一般的な熱交換用構造物を通過した流体の温度を示している。また、斜線で示す領域は、流体の望ましい温度範囲を示す。
図７は、流体が、流体の温度よりも高い温度、かつ、蓄熱物質が１種類のみ使用されている熱交換用構造物と熱交換する際の、熱交換用構造物及び熱交換用構造物と熱交換した流体の温度変化の一例を模式的に示すグラフである。
図７において、実線は、蓄熱物質が１種類のみ使用されている熱交換用構造物の温度を示し、破線は熱交換用構造物と熱交換した流体の温度を示している。また、斜線で示す領域は、流体の望ましい温度範囲を示す。
【００７８】
まず、本発明の構造物に流体が接触すると、本発明の構造物の温度は、流体の温度よりも高いので、熱が本発明の構造物から流体に移動し流体が温められることになる。
そして、時間が進むにつれ本発明の構造物の温度は次第に低下することになる。
本発明の構造物の温度が第２蓄熱物質の相転移温度である温度βまで低下すると、第２蓄熱物質は相転移する。第２蓄熱物質が相転移している間（図５中ｔ１〜ｔ２の間）、第２蓄熱物質は熱を放出し温度が一定に保たれる。また本発明の構造物も、第２蓄熱物質からの熱を受けるので、温度が一定に保たれることになる。そして、この間（図５中ｔ１〜ｔ２の間）は、流体を急激に温めることができる。
さらに時間が進むと、第２蓄熱物質が全て相転移し、本発明の構造物の温度が次第に低下することになる（図５中ｔ２〜ｔ３の間）。
本発明の構造物の温度が第１蓄熱物質の相転移温度である温度αまで低下すると第１蓄熱物質は相転移する。第１蓄熱物質が相転移している間（図５中ｔ３〜ｔ４の間）、第１蓄熱物質は熱を放出し温度が一定に保たれる。また、本発明の構造物も、第１蓄熱物質からの熱を受けるので、温度が一定に保たれることになる。
この期間（図５中ｔ３〜ｔ４の間）、本発明の構造物の温度は、流体の温度に近くなるので、流体には温度変化が生じにくくなる。そのため、流体を望ましい温度に保つことができる。
【００７９】
つまり、本発明の構造物を用いると、流体の温度を、速やかに望ましい温度に上昇させることができ、また、その望ましい温度を維持することができる。
【００８０】
一方、図６に示すように、一般的な熱交換用構造物に流体が接触すると、一般的な熱交換用構造物の温度は、流体の温度よりも高いので、熱が一般的な熱交換用構造物から流体に移動し流体が温められることになる。一般的な熱交換用構造物には、蓄熱物質が含まれていないので、一般的な熱交換用構造物の温度は、上記本発明の構造物の温度よりも速く低下しやすくなる。その結果、流体を望ましい温度にしにくくなる。
また、図７に示すように、相転移温度が温度γである蓄熱物質が１種類のみ使用されている熱交換用構造物に流体が接触すると、構造体の温度は蓄熱物質の相転移温度である温度γに維持されることになり、流体の温度を速やかに上昇させることはできるものの、流体の温度を望ましい温度に維持しにくくなる。
【００８１】
次に、本発明の構造物の温度が、流体の温度より低く、流体が本発明の構造物と熱交換する際に流体が冷やされる場合を説明する。
なお、以下に説明する本発明の構造物では、第１蓄熱物質の相転移温度αは、第２蓄熱物質の相転移温度βよりも低い。
図８は、流体が、流体の温度よりも低い温度の本発明の構造物と熱交換する際の、本発明の構造物及び本発明の構造物と熱交換した流体の温度変化の一例を模式的に示すグラフである。
図８において、実線は本発明の構造物の温度を示し、破線は本発明の構造物と熱交換した流体の温度を示している。また、斜線で示す領域は、流体の望ましい温度範囲を示す。
図９は、流体が、流体の温度よりも低い温度の一般的な熱交換用構造物と熱交換する際の、一般的な熱交換用構造物及び一般的な熱交換用構造物と熱交換した流体の温度変化の一例を模式的に示すグラフである。
図９において、実線は一般的な熱交換用構造物の温度を示し、破線は一般的な熱交換用構造物と熱交換した流体の温度を示している。また、斜線で示す領域は、流体の望ましい温度範囲を示す。
図１０は、流体が、流体の温度よりも低い温度、かつ、蓄熱物質が１種類のみ使用されている熱交換用構造物と熱交換する際の、熱交換用構造物及び熱交換用構造物と熱交換した流体の温度変化の一例を模式的に示すグラフである。
図１０において、実線は、蓄熱物質が１種類のみ使用されている熱交換用構造物の温度を示し、破線は熱交換用構造物と熱交換した流体の温度を示している。また、斜線で示す領域は、流体の望ましい温度範囲を示す。
【００８２】
まず、本発明の構造物に流体が接触すると、本発明の構造物の温度は、流体の温度よりも低いので、熱が流体から本発明の構造物に移動し流体が冷やされることになる。
そして、時間が進むにつれ本発明の構造物の温度は次第に上昇することになる。
本発明の構造物の温度が第１蓄熱物質の相転移温度である温度αまで上昇すると、第１蓄熱物質は相転移する。第１蓄熱物質が相転移している間（図８中ｔ１〜ｔ２の間）、第１蓄熱物質は熱を吸収し温度が一定に保たれる。また本発明の構造物も、第１蓄熱物質により熱を奪われるので、温度が一定に保たれることになる。そして、この間（図８中ｔ１〜ｔ２の間）は、流体を急激に冷やすことができる。
さらに時間が進むと、第１蓄熱物質が全て相転移し、本発明の構造物の温度が次第に上昇することになる（図５中ｔ２〜ｔ３の間）。
本発明の構造物の温度が第２蓄熱物質の相転移温度である温度βまで上昇すると第２蓄熱物質は相転移する。第２蓄熱物質が相転移している間（図５中ｔ３〜ｔ４の間）、第２蓄熱物質は熱を吸収し温度が一定に保たれる。また、本発明の構造物も、第２蓄熱物質により熱を奪われるので、温度が一定に保たれることになる。
この期間（図５中ｔ３〜ｔ４の間）、本発明の構造物の温度は、流体の温度に近くなるので、流体には温度変化が生じにくくなる。そのため、流体を望ましい温度に保つことができる。
【００８３】
つまり、本発明の構造物を用いると、流体の温度を、速やかに望ましい温度に低下させることができ、また、その望ましい温度を維持することができる。
【００８４】
一方、図９に示すように、一般的な熱交換用構造物に流体が接触すると、一般的な熱交換用構造物の温度は、流体の温度よりも低いので、熱が流体から一般的な熱交換用構造物に移動し流体が冷やされることになる。一般的な熱交換用構造物には、蓄熱物質が含まれていないので、一般的な熱交換用構造物の温度は、本発明の構造物の温度よりも速く上昇しやすくなる。その結果、流体を望ましい温度にしにくくなる。
また、図１０に示すように、相転移温度が温度γである蓄熱物質が１種類のみ使用されている熱交換用構造物に流体が接触すると、構造体の温度は蓄熱物質の相転移温度である温度γに維持されることになり、流体の温度を速やかに低下させることはできるものの、流体の温度を望ましい温度に維持しにくくなる。
【００８５】
以上説明したように、本発明の構造物は、第１蓄熱物質の相転移温度及び第２蓄熱物質の相転移温度を調整することにより、流体を温めることにも、冷やすことにも用いることができる。
【００８６】
また、本発明の構造物は、第１蓄熱物質及び第２蓄熱物質とは異なる相転移温度を有する別の蓄熱物質を含んでいてもよい。なお、別の蓄熱物質は１種類でもよく、２種類以上でもよい。
複数の蓄熱物質が本発明の構造物に含まれていると、より綿密に流体の温度を制御することができる。
【００８７】
次に、より具体的な本発明の構造物の使用方法について説明する。
本発明の構造物は、住宅換気システムに用いることができる。
本発明の構造物が用いられた住宅換気システムは、筒状体と、筒状体に空気を流通させるためのファンと、筒状体の内部に配置されたハニカム形状の本発明の構造物からなり、上記本発明の構造物がファンよりも屋外側に配置され、かつ、上記筒状体は、住宅の壁を貫通するように設置されている。
上記住宅換気システムにより換気を行う場合には、換気される空気は本発明の構造物の内部を通ることになる。
なお、上記住宅換気システムでは、本発明の構造物がファンよりも屋内側に配置されていてもよい。
【００８８】
なお、本発明の構造物は、上記住宅換気システムの筒状体であってもよい。
すなわち、筒状体は、第１蓄熱材と、第２蓄熱材と、樹脂とからなる部材により形成されていてもよい。
住宅換気システムを用いて換気をする際に、筒状体も空気と接触することになる。筒状体が上記構成であると、筒状体は熱交換に用いる構造物として機能する。従って、空気との熱交換を効率的に行うことができる。
【００８９】
特に、住宅換気システムには、ハニカム形状である構造物１が用いられることが望ましい。以下の説明では、ハニカム形状である構造物１が住宅換気システムに用いられる場合を説明する。
図１１は、本発明の構造物が用いられた住宅換気システムの一例を模式的に示す模式図である。
図１２は、図１１に示す住宅換気システムを用いて換気をする工程の一例を模式的に示す模式図である。
【００９０】
図１１に示す住宅換気システム３０は、筒状体３１と、筒状体３１に空気を流通させるためのファン３２と、筒状体３１の内部に配置された構造物１とからなる。
そして、住宅換気システム３０は、構造物１がファン３２よりも屋外側に配置され、かつ、住宅５０の壁５１を貫通するように設置されている。
上記構造の住宅換気システム３０を用いて換気を行う場合には、換気される空気は構造物１の内部を通ることになる。
なお、住宅換気システム３０では、構造物１がファン３２よりも屋内側に配置されていてもよい。
【００９１】
屋外が寒くて温度が低く、屋内が温かくて温度が高い場合において、住宅換気システム３０を用いて、屋外の空気Ａを屋内に取り込む工程を説明する。
住宅換気システム３０を用いて、屋外の空気Ａを屋内に取り込む場合、構造物１の温度は、寒い屋外の空気Ａｃの温度よりも高く設定されており、第１蓄熱物質１１ａ及び第２蓄熱物質１２ａは液体である。
図１２に示すように、屋外の空気Ａｃは、ファン３２により屋内に取り込まれる。その過程で、空気Ａｃは構造物１を通過することになり、構造物１から空気Ａｃへ熱Ｈが伝達される。そのため、住宅換気システム３０を通じて空気Ａｃが屋内に到達する際には、空気Ａｃは充分に温められて温かい空気Ａｈとなっている。また、屋外の空気Ａｃを取り込む過程において、第１蓄熱物質１１ａは液体から固体に相転移することになる。
そして、第１蓄熱物質１１ａが固体になった後でも、第２蓄熱物質１２ａは液体であり、空気Ａｃに熱を供給し続けることができる。そのため、屋内に取り込まれる空気Ａｃは、継続して充分に温められた温かい空気Ａｈとなる。従って、屋内に取り込まれる空気は、継続して温かい空気Ａｈとなっており、屋内の温度が低下することを防止することができる。
【００９２】
また、換気を終えると構造物１は冷たくなるが、屋内は暖房により温度が上昇することになる。このように温められた屋内の空気から熱を吸収することにより、構造物１の温度も上昇し、第１蓄熱物質１１ａ及び第２蓄熱物質１２ａは再び液体となる。そして、次の換気の際に、住宅換気システム３０は再び機能することになる。
【００９３】
なお、本発明の構造物は、図１１に示す上記住宅換気システム３０の筒状体３１であってもよい。
すなわち、筒状体３１は、第１蓄熱材１１と、第２蓄熱材１２と、樹脂１６とからなる部材１０により形成されていてもよい。
住宅換気システム３０を用いて換気をする際に、筒状体３１も空気Ａと接触することになる。筒状体３１が上記構成であると、筒状体３１は熱交換に用いる構造物として機能する。従って、空気Ａとの熱交換を効率的に行うことができる。
【００９４】
次に、本発明の構造物を製造する方法を説明する。
【００９５】
（１）混合工程
まず、カプセル内に第１蓄熱物質が封入された第１蓄熱材と、カプセル内に第２蓄熱物質が封入された第２蓄熱材と、樹脂とを混合して混合物を調製する。
第１蓄熱材と、第２蓄熱材と、樹脂とを混合する方法は、特に限定されず、湿式混合であっても、乾式混合であってもよい。また、混合物では、各蓄熱材が樹脂に均等に分散していることが望ましい。
さらに、第１蓄熱材と、第２蓄熱材と、樹脂とを混合する際には、無機繊維、金属粉末等を合わせて混合してもよい。
なお、第１蓄熱材と、第２蓄熱材と、樹脂の構成材料や割合等、並びに、各カプセル及び各蓄熱物質の構成材料や大きさ等は上述した通りなのでここでの記載は省略する。
【００９６】
（２）成形工程
次に、上記（１）混合工程で得られた混合物を成形して、第１蓄熱材と、第２蓄熱材と、樹脂とからなる部材により形成され、複数の流路が隔壁を隔てて長手方向に並設されたハニカム形状である構造物を成形する。
混合物を成形する際には、３Ｄプリンタを用いてもよく、押出成形又は射出成形により成形してもよい。
３Ｄプリンタを用いることにより構造物を製造することができる。
また、混合物を押出成形又は射出成形により成形する場合には、混合物を成形後、混合物の材質に応じて加熱、光照射等を行うことにより形状を固定させることにより構造物を製造することができる。
【００９７】
３Ｄプリンタを用いる場合には、任意の形状の構造物を製造することができるという利点があり、押出成形する場合には、低コストで容易に所定の形状の構造物を製造することができるという利点がある。
【００９８】
以上の工程を経て本発明の構造物を製造することができる。
【００９９】
以下に、本発明の構造物の作用効果を列挙する。
（１）本発明の構造物は、カプセル内に第１蓄熱物質が封入された第１蓄熱材及びカプセル内に第２蓄熱物質が封入された第２蓄熱材を含んでいる。
このような構造物を流体との熱交換に用いると、構造物の温度が変化することに伴い、第１蓄熱物質が相転移する。第１蓄熱物質が相転移する際には、潜熱として熱を放出又は吸収するので、第２蓄熱物質の温度変化は小さくなる。また、構造物の温度がさらに変化することに伴い、第２蓄熱物質も相転移する。第２蓄熱物質が相転移する際にも、潜熱として熱を放出又は吸収するので、第１蓄熱物質の温度変化は小さくなる。第１蓄熱物質の相転移温度及び第２蓄熱物質の相転移温度が異なっていることで、熱交換の際に、構造物を所定の温度に長時間保ちやすくなる。従って、本発明の構造物は、熱交換の際に熱交換機能が確保される。
また、第１蓄熱物質は、潜熱として熱を放出又は吸収することもできるので、相転移温度における第１蓄熱物質の放出又は吸収できる熱量は大きい。第２蓄熱物質も同様である。そのため、本発明の構造物は、単位体積当たりの放出又は吸収できる熱量が大きくなる。従って、本発明の構造物を小型化しても充分な熱量を放出又は吸収することができる。
【０１００】
（２）本発明の構造物では、第１蓄熱物質の相転移温度と、第２蓄熱物質の相転移温度とは異なる。第１蓄熱物質が相転移する際には、第１蓄熱物質に温度変化が生じず、第２蓄熱物質が相転移する際には、第２蓄熱物質に温度変化が生じない。そのため、第１蓄熱物質が相転移している間は、構造物の温度を第１蓄熱物質の相転移温度に保ちやすくなり、第２蓄熱物質が相転移している間は、構造物の温度を第２蓄熱物質の相転移温度に保ちやすくなる。すなわち、構造物の温度を段階的に保つことができる。
【０１０１】
（３）本発明の構造物では、カプセル内に第１蓄熱物質が封入された第１蓄熱材及びカプセル内に第２蓄熱物質が封入された第２蓄熱材が用いられている。
第１蓄熱物質及び第２蓄熱物質がそれぞれ別のカプセルに封入されることにより、第１蓄熱物質及び第２蓄熱物質が混ざることを防ぐことができる。また、第１蓄熱物質及び第２蓄熱物質が構造物から漏れ出ることを防ぐことができる。
【０１０２】
（実施例）
以下、本発明の実施形態をより具体的に開示した実施例を示す。なお、本発明は、これらの実施例のみに限定されるものではない。
【０１０３】
（実施例１）
（１）混合工程
樹脂として液状アクリル樹脂を１０７ｋｇと、第１蓄熱材としてパラフィン入りカプセル状蓄熱材（三菱製紙社製、製品名「ＦＰ−１６」、融点１６℃）を３２．５ｋｇと、第２蓄熱材としてパラフィン入りカプセル状蓄熱材（三菱製紙社製、製品名「ＦＰ−３１」、融点３１℃）を３２．５ｋｇとを混合して混合物を得た。なお、それぞれのパラフィン入りカプセル状蓄熱材には、パラフィンがそれぞれ８０重量％の割合で含まれていた。
また、液状アクリル樹脂と、パラフィンとの体積比は、液状アクリル樹脂：パラフィン＝６５：３５であった。
【０１０４】
（２）成形工程
次に、上記（１）混合工程で得られた混合物を、３Ｄプリンター（３Ｄ  Ｓｙｓｔｅｍｓ，Ｉｎｃ．社製、製品名「ＰＪ−１５００」）を用いて、紫外線照射により液状アクリル樹脂を光硬化させることにより、実施例１に係るハニカム形状の構造物を得た。実施例１の構造物は、外形が直径８５．０ｍｍ、長さ１０４．０ｍｍの円柱状であった。また、流入口及び流出口の形状が、３．８０ｍｍ×３．８０ｍｍの正方形であり、隔壁の厚さが０．７８ｍｍであった。また、流路の密度は、３１個／平方インチであった。また、実施例１に係る構造物を形成する部材の体積は１９８．８ｃｍ３であり、密度は１．００ｇ／ｃｍ３であった。
【０１０５】
（実施例２）
（１）混合工程
樹脂としてポリプロピレン樹脂を１６．３５ｋｇと、第１蓄熱材としてパラフィン入りカプセル状蓄熱材（三菱製紙社製、製品名「ＦＰ−１６」、融点１６℃）を３２．５ｋｇと、第２蓄熱材としてパラフィン入りカプセル状蓄熱材（三菱製紙社製、製品名「ＦＰ−３１」、融点３１℃）を３２．５ｋｇとを押出機でシリンダー温度を１６０℃にて溶融・混合し、押出しカットしてペレットを作成した。
（２）成型工程
次に、上記（１）混合工程で得られたペレットを用いて、流路の密度が３１個／平方インチとなる金型を用いて、押出機にて押出成形することによりハニカム形状からなる構造物を作製した。なお、押出成形の際、押出機のシリンダー温度を１６０℃にした。また、実施例２に係る構造物の形状が、実施例１に係る構造物と同じ形状の円柱状となるような金型を用いて成形を行った。
【０１０６】
（実施例３）
（１）混合工程
樹脂としてポリプロピレン樹脂を１６．３５ｋｇと、第１蓄熱材としてパラフィン入りカプセル状蓄熱材（三菱製紙社製、製品名「ＦＰ−１６」、融点１６℃）を３２．５ｋｇと、第２蓄熱材としてパラフィン入りカプセル状蓄熱材（三菱製紙社製、製品名「ＦＰ−３１」、融点３１℃）を３２．５ｋｇとを押出機でシリンダー温度を１６０℃にて溶融・混合し、押出しカットしてペレットを作成した。
（２）成型工程
図１３（ａ）〜（ｄ）は、実施例３の成形工程を模式的に示す模式図である。
次に、上記（１）混合工程で得られたペレットを射出成形機にて成形金型に射出し、図１３（ａ）に示すような、底面に隔壁が規則的かつ垂直に形成された射出成形体を作製した。なお、射出成形体の隔壁の間隔は３．８０ｍｍであり、隔壁の高さは３．８０ｍｍであった。また、射出成形の際、成形金型の温度を４０℃、射出成形機のシリンダー温度を１６０℃とした。
次に、図１３（ｂ）に示すように、射出成形体を積層し接着により貼り合わせて、図１３（ｃ）に示すような流路の密度が３１個／平方インチとなるハニカム形状からなる構造物を得た。
そして、得られた構造物を、図１３（ｃ）に示す破線の部分で切り取り、図１３（ｄ）に示すように、実施例１に係る構造物と同じ形状の円柱状となるように、外周をポリプロピレン樹脂で埋め、外径加工を行った。
【０１０７】
（比較例１）
原料のコージェライトを粉砕・粒度調整し、所定の化学組成になるように調合し、水とバインダーを加え混練した後、押出機にてハニカム状に押出成形されたものを乾燥、焼成した。
比較例１の構造物は、外形が直径９６．０ｍｍ、長さ１４７．４ｍｍの円柱状であった。また、流入口及び流出口の形状が、３．９８ｍｍ×３．９８ｍｍの正方形であり、隔壁の厚さが０．６０ｍｍであった。また、流路の密度は、３１個／平方インチであった。また、比較例１に係る構造物を形成する部材の体積は３０８．６ｃｍ３であり、密度は２．８４ｇ／ｃｍ３であった。
【０１０８】
（比較例２）
原料のコージェライトを粉砕・粒度調整し、所定の化学組成になるように調合し、水とバインダーを加え混練した後、押出機にてハニカム状に押出成形されたものを乾燥、焼成した。
比較例２の構造物は、外形が直径９６．１ｍｍ、長さ９９．４ｍｍの円柱状であった。また、流入口及び流出口の形状が、３．９８ｍｍ×３．９８ｍｍの正方形であり、隔壁の厚さが０．６０ｍｍであった。また、流路の密度は、３１個／平方インチであった。また、比較例２に係る構造物を形成する部材の体積は２０８．２ｃｍ３であり、密度は２．８２ｇ／ｃｍ３であった。
【０１０９】
（比較例３）
第１蓄熱材及び第２蓄熱材を用いない以外は、実施例１と同様にして比較例３に係る構造物を製造した。
【０１１０】
（排気試験）
実施例１及び比較例３に係る構造物を３５℃とし、各構造物に３．０℃の空気を１．０ｍ／ｓｅｃで９００秒間流入させ、各構造物から流出後の空気の温度を測定した。結果を図１４に示す。図１４は、排気実験の結果を示すグラフである。
なお、排気試験は、住宅換気システムにおいて屋外の空気を屋内に取り込む場合を想定している。
【０１１１】
図１４に示すように、試験開始から６００秒を経過した後の取り込む空気の温度を評価すると、実施例１の構造物を用いると、屋内に取り込む空気の温度は約１０℃で維持されていた。一方、比較例３の構造物を用いると、屋内に取り込む空気の温度は約６℃で維持されていた。
これは、実施例１の構造物は、第１蓄熱材及び第２蓄熱材を含んでいるので、試験開始から６００秒を経過した後も、屋内に取り込む空気を持続して温めることができたためと考えられる。
この結果より、実施例１の構造物を用いると、寒い屋外の空気を屋内に取り込む場合に、比較例３の構造物を用いるよりも温かい空気を屋内に取り込むことができることが判明した。
【０１１２】
これらの結果から、屋内の温度が低く屋内の温度が温かい場合に、実施例１の構造物を住宅換気システムに用いることにより、屋内の熱量の低下を抑え、かつ、屋内の温度の変化を抑えつつ、効率的に換気をすることができることが示された。
また、実施例２及び実施例３の構造物を用いて上記（排気試験）を行った。その結果は、実施例１の構造物と同等であった。比較例１及び比較例２の構造物を用いて上記（排気試験）を行った。その結果は、比較例３の構造物と同等であった。
実施例１〜３の構造物は、取り込む空気の温度を１０〜３５℃に保つのに有用であることが確認された。特に、試験開始から６００秒を経過した後も、持続して取り込む空気を温めることができることが確認された。
【０１１３】
（ハニカム形状の構造物の特性の評価）
実施例１、比較例１、比較例２、比較例３の構造物について、構造物の体積、熱容量（蓄熱量Ｑ及び相対蓄熱量Ｑ´）を求め、ハニカム形状の構造物の特性の評価を行った。その結果を表１に示す。
体積は、各構造物の寸法の実測値から求めた。
蓄熱量Ｑは、各構造物が０℃から３５℃に温度変化する際に、各構造物に蓄積する熱量を意味する。相対蓄熱量Ｑ´は、各構造物の体積を２００ｃｍ３とした際の蓄熱量Ｑを意味する。
【０１１４】
【表１】
0006586292.tif 000002
【０１１５】
実施例１の構造物と比較例１の構造物とを比較すると、各構造物の蓄熱量Ｑは同等であるが、実施例１の構造物の体積は、比較例１の構造物の体積の６４％の大きさであった。すなわち、実施例１の構造物の方が、相対蓄熱量Ｑ´が大きかった。
このことから、実施例１の構造物は、比較例１の構造物より小型化されているが、蓄熱性能が劣っていないことが示された。
また、実施例１、比較例２及び比較例３の構造物を比較すると、これら構造物の体積は同等であるが、実施例１の構造物の蓄熱量Ｑ及び相対蓄熱量Ｑ´は、比較例２並びに比較例３の構造物の蓄熱量Ｑ及び相対蓄熱量Ｑ´に比べて、大きかった。このことから、実施例１の構造物は、比較例２及び比較例３の構造物より蓄熱量を大きくすることができることが示された。
【符号の説明】
【０１１６】
１  構造物
１０  部材
１１  第１蓄熱材
１１ａ  第１蓄熱物質
１１ｂ、１２ｂ  カプセル
１２  第２蓄熱材
１２ａ  第２蓄熱物質
１６  樹脂
１７  部材の表面
２１  流入口
２２  流路
２３  流出口
２４  隔壁
３０  住宅換気システム
３１  筒状体
３２  ファン
５０  住宅
５１  壁
【図１】
0006586292.tif 000003
【図２】
0006586292.tif 000004
【図３】
0006586292.tif 000005
【図４】
0006586292.tif 000006
【図５】
0006586292.tif 000007
【図６】
0006586292.tif 000008
【図７】
0006586292.tif 000009
【図８】
0006586292.tif 000010
【図９】
0006586292.tif 000011
【図１０】
0006586292.tif 000012
【図１１】
0006586292.tif 000013
【図１２】
0006586292.tif 000014
【図１３】
0006586292.tif 000015
【図１４】
0006586292.tif 000016